(57)【特許請求の範囲】
【請求項１】
セルをスイッチングするスイッチ装置を有するセル交換システムにおいて、
セルに、それが即時性を要求するサービスのセルであるか否かを表示する即時性要求情報を付加する即時性要求情報付加装置と、
即時性を要求しないサービスのセルを一時保持し、該セルを所定の読出し帯域で読み出して前記スイッチ装置に向けて出力する大容量の第１のバッファ装置と、
即時性を要求するサービスのセルのための必要最低限の容量を有し、該セルを前記スイッチ装置に向けて出力する第２のバッファ装置と、
前記セルに付加されている即時性要求情報が、該セルが即時性を要求しないサービスのセルであることを示している場合には、該セルを前記第１のバッファ装置に向かうルートに振り分け、前記セルに付加されている即時性要求情報が、該セルが即時性を要求するサービスのセルであることを示している場合には、該セルを前記第２のバッファ装置に向かうルートに振り分ける振分装置と、
を有することを特徴とするセル交換システムにおける輻輳制御システム。
【請求項２】
上り回線上のセルを一時保持し、該セルを所定の読出し帯域で読み出すバッファ装置と、
該バッファ装置からのセルをスイッチングするスイッチ装置と、
該スイッチ装置からのセルを各加入者端末に向かう各下り回線に出力する分離装置と
を有するセル交換システムにおいて、
前記分離装置において、
前記各加入者端末に向かう各下り回線毎に輻輳状態を検出する輻輳状態監視装置と、
該輻輳状態監視装置が輻輳状態を検出した場合に、該輻輳状態を検出した下り回線と対の上り回線上を転送されるセルに、前記輻輳状態に応じた輻輳情報を設定する輻輳情報設定装置と、
前記各下り回線上で前記輻輳情報が設定されたセルを検出する輻輳情報設定セル検出装置と、
該輻輳情報設定セル検出装置における前記輻輳情報が設定されたセルの検出状態に応じて、該輻輳情報設定セル検出装置に対応する下り回線と対の上り回線上に設けられている前記バッファ装置において、そこからのセルの読出し帯域を制御するバッファ制御装置とを有し、
前記輻輳状態監視装置が監視する輻輳状態は複数のレベルの状態からなり、
前記輻輳情報設定装置は前記輻輳状態のレベルに応じた輻輳情報を設定し、
前記バッファ制御装置は、前記輻輳情報設定セル検出装置が検出したセルに設定されている輻輳情報が示す輻輳状態のレベルに応じて、前記バッファ装置における前記セルの読出し帯域を制御する、
ことを特徴とするセル交換システムにおける輻輳制御システム。
【請求項３】
前記輻輳状態監視装置は、前記分離装置内の前記各加入者端末に向かう各下り回線の各バッファにおける前記セルの滞留量の変化を監視することにより、前記複数のレベルからなる輻輳状態のそれぞれを検出する、ことを特徴とする請求項２に記載のセル交換システムにおける輻輳制御システム。
【請求項４】
前記バッファ制御装置は、前記輻輳情報設定セル検出装置が検出したセルに設定されている輻輳情報が示す輻輳状態のレベルに応じて、前記バッファ装置における前記セルの読出し帯域の減少量を制御する、ことを特徴とする請求項２又は３の何れか１項に記載のセル交換システムにおける輻輳制御システム。
【請求項５】
前記バッファ制御装置は、前記輻輳情報設定セル検出装置が検出したセルに設定されている輻輳情報が示す輻輳状態のレベルが所定のレベルを示した場合に、前記バッファ装置における前記セルの読出しを停止する、ことを特徴とする請求項２乃至４の何れか１項に記載のセル交換システムにおける輻輳制御システム。
【請求項６】
前記バッファ制御装置は、前記輻輳情報設定セル検出装置が前記輻輳情報が設定されたセルを検出しない場合には、所定の割合で、前記バッファ装置における前記セルの読出し帯域を増加させる、ことを特徴とする請求項２乃至５の何れか１項に記載のセル交換システムにおける輻輳制御システム。
【請求項７】
前記輻輳情報は、前記セルに付加される前記セル交換システム内でのみ使用されるヘッダ部に設定される、ことを特徴とする請求項２乃至６の何れか１項に記載のセル交換システムにおける輻輳制御システム。
【請求項８】
前記バッファ制御装置は、前記バッファ装置における前記セルの読出し帯域を、該バッファ装置を使用する各パスに対して割り当てている使用帯域の平均値の総和を基準として、該平均値の総和を最低帯域として保証するように制御する、ことを特徴とする請求項２乃至７の何れか１項に記載のセル交換システムにおける輻輳制御システム。
【請求項９】
セルをスイッチ装置でスイッチングするセル交換システムにおける輻輳制御方法であって、
各加入者端末に向かう各下り回線毎に輻輳状態を検出する輻輳状態検出ステップと、
該輻輳状態が検出された場合に、該輻輳状態が検出された下り回線と対の上り回線上を転送されるセルに、前記輻輳状態に応じた輻輳情報を設定する輻輳状態設定ステップと、
前記各下り回線上で前記輻輳情報が設定されたセルを検出する輻輳情報設定セル検出ステップと、
該下り回線上での前記輻輳情報設定セル検出ステップで検出されたセルに設定された輻輳情報に応じて、該下り回線と対の上り回線において、前記スイッチ装置への前記セルの流入量を制御するセル流入量制御ステップと、
を有し、
前記輻輳状態検出ステップで検出する輻輳状態は複数のレベルの状態からなり、
前記輻輳状態設定ステップは、前記輻輳状態のレベルに応じた輻輳情報を設定し、
前記セル流入量制御ステップは、前記輻輳情報設定セル検出ステップで検出されたセルに設定されている輻輳情報が示す輻輳状態のレベルに応じて、前記スイッチ装置への前記セルの流入量を制御する、
ことを特徴とするセル交換システムにおける輻輳制御方法。
【請求項１０】
上り回線上のセルを一時保持し、該セルを所定の読出し帯域で読み出すバッファ装置と、
該バッファ装置からのセルをスイッチングするスイッチ装置と、
該スイッチ装置からのセルを各加入者端末に向かう各下り回線に出力する分離装置と
を有するセル交換システムにおいて、
前記分離装置において、
前記各加入者端末に向かう各下り回線毎に輻輳状態を検出する輻輳状態監視装置と、
該輻輳状態監視装置が輻輳状態を検出した場合に、該輻輳状態を検出した下り回線と対の上り回線上を転送されるセルに、前記輻輳状態に応じた輻輳情報を設定する輻輳情報設定装置と、
前記各下り回線上で前記輻輳情報が設定されたセルを検出する輻輳情報設定セル検出装置と、
該輻輳情報設定セル検出装置における前記輻輳情報が設定されたセルの検出状態に応じて、該輻輳情報設定セル検出装置に対応する下り回線と対の上り回線上に設けられている前記バッファ装置において、そこからのセルの読出し帯域を制御するバッファ制御装置とを有し、
前記バッファ制御装置は、前記輻輳情報設定セル検出装置が前記輻輳情報が設定されたセルを検出しない場合には、所定の割合で、前記バッファ装置における前記セルの読出し帯域を増加させる、
ことを特徴とするセル交換システムにおける輻輳制御システム。
【請求項１１】
前記輻輳情報は、前記セルに付加される前記セル交換システム内でのみ使用されるヘッダ部に設定される、ことを特徴とする請求項１０に記載のセル交換システムにおける輻輳制御システム。
【請求項１２】
前記バッファ制御装置は、前記バッファ装置における前記セルの読出し帯域を、該バッファ装置を使用する各パスに対して割り当てている使用帯域の平均値の総和を基準として、該平均値の総和を最低帯域として保証するように制御する、ことを特徴とする請求項１０又は１１の何れか１項に記載のセル交換システムにおける輻輳制御システム。
【発明の詳細な説明】
【０００１】
【発明の属する技術分野】
本発明は、ＡＴＭ  交換システム等のセル交換における輻輳制御技術に関する。
【０００２】
【従来の技術及び発明が解決しようとする課題】
Ｂ−ＩＳＤＮ（広帯域サービス統合ディジタル網）では、種々の速度・形態の情報に関するサービスを１つの網に統合して提供することが可能である。現在、Ｂ−ＩＳＤＮとして、ＡＴＭ  （非同期転送モード）交換方式が実現されている。
【０００３】
ＡＴＭ  交換方式では、網内のリソースを有効に利用するために、一般に輻輳制御が行われる。そのような輻輳制御の一方式として、ＡＢＲ  （可変ビットレート）サービスにおける輻輳制御方式が知られている。この方式では、ＡＢＲ  サービスを利用するセルに対して網内のバッファで輻輳の状態が監視され、輻輳が検出されると、セル内の特定のビット（ＥＦＣＩビット）がオンされる。宛先加入者端末は、ＥＦＣＩビットがセットされているセルを受信すると、リソースマネージメントセルと呼ばれるセルを用いて、輻輳の状態を、発信加入者端末に通知する。発信加入者端末は、輻輳通知を受信すると、所定のアルゴリズムに従って、送信データの使用帯域を減少させる。
【０００４】
ここで、ＡＢＲ  サービスにおける輻輳制御は加入者端末間の制御として規定されるが、例えば中継交換機において上述の輻輳が発生した場合には、その発生が宛先加入者端末から発信加入者端末まで通知されるのに相当な時間がかかり、発信加入者端末が上記輻輳通知を受信してから輻輳制御を行うのでは遅過ぎる場合がある。このような場合には、網内の１箇所での輻輳の発生が他の箇所での輻輳を次々に引き起こす可能性が高くなる。そこで、網内の各交換機内においても、自律的な輻輳制御が望まれる。
【０００５】
交換機内での輻輳の発生には、交換機内の各部分におけるバッファの性能が関係してくる。
今、一般的なＡＴＭ  交換システムは、システムの小型化と経済化を図るために、回線３０１から回線個別部３０２を介して受信された情報は、多重／分離部３０３内の多重部で多重された後にスイッチ部３０４に入力され、そこでセル単位でスイッチングされた後、多重／分離部３０３内の分離部で目的の回線３０１毎に分離されて、回線個別部３０２を介して回線３０１に出力される構成を有する。このような構成を有するＡＴＭ  交換システムにおいて、種々の速度・形態の情報に関するサービスを統合して処理するためには、システムの処理速度を高速化することが望ましく、より具体的には、多重部からスイッチ部３０４に入力するハイウエイ及びスイッチ部３０４から分離部に出力するハイウエイのデータ転送速度を、できる限り高速化するのが望ましい。また、このような高速化によって、スイッチ部３０４が小型化されるという効果も生まれる。
【０００６】
しかし、ハイウエイが高速化されればされるほど、多重／分離部３０３及びスイッチ部３０４内の各バッファには十分な容量が要求され、それらを構成するためのメモリに対するコストが増大してしまうという問題点が発生する。特に、コンピュータ間の通信データのようなバースト性の強い情報を効率良く処理するためには、これらのバッファ容量を十分に確保する必要が生じ、システムコストを引き上げる原因となっている。
【０００７】
そこで、従来、各回線個別部３０２から多重／分離部３０３への入力部にバッファが設けられ、これらの各回線対応のバッファによってセルの発生頻度の差を吸収することにより、多重／分離部３０３及びスイッチ部３０４内の各バッファに対して要求される容量を緩和し、システムの小型化及び経済化を図る方式が実現されている。
【０００８】
しかし、コンピュータ間の通信データのようなバースト性の強い情報を効率良く処理するためには上述の回線入力部のバッファの容量はできる限り大きい方が良いが、そのようにした場合には、電話音声等の即時性の要求の強い情報の遅延が増大してしまうという問題点を有している。
【０００９】
このような問題点に対して、従来は、回線入力部のバッファの容量が即時性の要求の強い情報の遅延を許容できる範囲内の容量とされ、バースト性の強い情報の使用帯域を制限することによって、バースト性の強い情報と即時性の要求の強い情報の混在利用を図っていた。
【００１０】
しかし、当然のことながら、このような方式には限界があった。
また、上述の混在方式に加えて、多重／分離部３０３内の分離部内のバッファにおいて輻輳の状態が監視され、ここでバースト性の強い情報の入力による輻輳が検出されると、全ての回線入力部のバッファに対して専用の制御線を介して通知がなされることにより、多重／分離部３０３内の分離部内のバッファでの輻輳状態が解消されるまで、全ての回線入力部のバッファからのセルの出力が停止される、という方式が提案されている。この場合には、やがて、全ての回線入力部のバッファへのセルの入力も規制されることになり、全ての回線入力部においてセル廃棄が発生することになる。
【００１１】
この場合に、本来ならば、本当に輻輳を発生させている回線入力部のバッファからのセルの出力のみを停止するのが理想である。しかし、上述のバッファ制御方式では、スイッチ部３０４に対して設定されている通信パスを多重／分離部３０３内の分離部内のバッファにおいて認識することができないため、全ての回線入力部のバッファからのセルの出力を停止させなければならず、この結果、即時性の要求の強い情報を含む全ての通信情報が輻輳の影響を受けてしまうという問題点を有している。
【００１２】
また、上述のバッファ制御方式では、全ての回線入力部のバッファからのセルの出力を停止させないかさせるかのオン／オフ制御しか行われないため、スイッチ部３０４の使用効率を必ずしも向上させることができないという問題点を有している。
【００１３】
本発明の課題は、システムの小型化及び経済化を維持しつつ、バースト性の強い情報に対する適切な輻輳制御を実現し、かつバースト性の強い情報と即時性の要求の強い情報の両方を効率良く処理可能とすることにある。
【００１４】
【課題を解決するための手段】
本発明の第１の態様は、ＡＴＭ  セル等のセルをスイッチングするスイッチ装置を有するセル交換システムを前提とする。
【００１５】
そしてまず、セルに、それが即時性を要求するサービスのセルであるか否かを表示する即時性要求情報（Ｓ−Ｉ  ビット）を付加する即時性要求情報付加装置（ＩＶＣＣ１０３）を有する。
【００１６】
次に、即時性を要求しないサービスのセルを一時保持し、そのセルを所定の読出し帯域で読み出してスイッチ装置に向けて出力するバッファ装置（Ｉ−ＢＵＦ  １０５）を有する。
【００１７】
そして、セルに付加されている即時性要求情報が、そのセルが即時性を要求しないサービスのセルであることを示している場合には、そのセルをバッファ装置に向かうルートに振り分け、セルに付加されている即時性要求情報が、そのセルが即時性を要求するサービスのセルであることを示している場合には、そのセルをスイッチ装置に向かう即時性を要求するサービスのセルのためのルート（Ｒ−ＢＵＦ  １０６を含むルート）に振り分ける振分装置（振分部１０４）を有する。
【００１８】
このような本発明の第１の態様の構成により、スイッチ装置内のバッファ規模を増大させることなく、コンピュータ間の通信データのようなバースト性の強い情報を効率良く処理できると共に、電話音声等の即時性の要求の強い情報の遅延の増大を防止することができる。
【００１９】
次に、本発明の第２の態様は、上り回線上のセルを一時保持し、そのセルを所定の読出し帯域で読み出すバッファ装置（Ｉ−ＢＵＦ  １０５）と、そのバッファ装置からのセルをスイッチングするスイッチ装置と、そのスイッチ装置からのセルを各加入者端末に向かう各下り回線に出力する分離装置（ＤＭＵＸ１１２）とを有するセル交換システムを前提とする。
【００２０】
そしてまず、分離装置において、各加入者端末に向かう各下り回線毎に輻輳状態を検出する輻輳状態監視装置（ＤＭＵＸ  ＣＴＬ１１３）を有する。
次に、その輻輳状態監視装置が輻輳状態を検出した場合に、その輻輳状態を検出した下り回線と対の上り回線上を転送されるセルに、輻輳状態に応じた輻輳情報を設定する輻輳情報設定装置（ＤＭＵＸ  ＣＴＬ１１３及びＩＮＳ  １０８）を有する。
【００２１】
また、各下り回線上で輻輳情報が設定されたセルを検出する輻輳情報設定セル検出装置（Ｏ−ＣＥＬＬ  ＥＸＴ１１０）を有する。
そして、その輻輳情報設定セル検出装置における輻輳情報が設定されたセルの検出状態に応じて、その輻輳情報設定セル検出装置に対応する下り回線と対の上り回線上に設けられているバッファ装置において、そこからのセルの読出し帯域を制御するバッファ制御装置（Ｉ−ＢＵＦ  ＣＴＬ  １０９）を有する。
【００２２】
上述の本発明の第２の態様において、輻輳状態監視装置が監視する輻輳状態は複数のレベルの状態からなり、輻輳情報設定装置は輻輳状態のレベルに応じた輻輳情報を設定し、バッファ制御装置は、輻輳情報設定セル検出装置が検出したセルに設定されている輻輳情報が示す輻輳状態のレベルに応じて、バッファ装置におけるセルの読出し帯域を制御するように構成することができる。
【００２３】
この場合更に、輻輳状態監視装置は、分離装置内の各加入者端末に向かう各下り回線の各バッファにおけるセルの滞留量の変化を監視することにより、複数のレベルからなる輻輳状態のそれぞれを検出するように構成することができる。
【００２４】
また、バッファ制御装置は、輻輳情報設定セル検出装置が検出したセルに設定されている輻輳情報が示す輻輳状態のレベルに応じて、バッファ装置におけるセルの読出し帯域の減少量を制御するように構成することができる。
【００２５】
或いは、バッファ制御装置は、輻輳情報設定セル検出装置が検出したセルに設定されている輻輳情報が示す輻輳状態のレベルが所定のレベルを示した場合に、バッファ装置におけるセルの読出しを停止するように構成することができる。
【００２６】
更に、バッファ制御装置は、輻輳情報設定セル検出装置が輻輳情報が設定されたセルを検出しない場合には、所定の割合で、バッファ装置におけるセルの読出し帯域を増加させるように構成することができる。
【００２７】
また、前述した本発明の第２の態様において、輻輳情報は、セルに付加されるセル交換システム内でのみ使用されるヘッダ部に設定されるように構成することができる。
【００２８】
更に、前述した本発明の第２の態様において、バッファ制御装置は、バッファ装置におけるセルの読出し帯域を、そのバッファ装置を使用する各パスに対して割り当てている使用帯域の平均値の総和を基準として、その平均値の総和を最低帯域として保証するように制御するように構成することができる。
【００２９】
上述した本発明の第２の態様の構成とその変形の構成により、コンピュータ間の通信データのようなバースト性の強い情報を最大限の効率で転送することが可能となる。
【００３０】
また、輻輳情報がセルに付加されるセル交換システム内でのみ使用されるヘッダ部に設定されることにより、本発明の第２の態様による輻輳制御を交換機外の他の輻輳制御と併用することが可能となり、より精密な輻輳制御を実現することができる。
【００３１】
【発明の実施の形態】
以下、本発明の実施の形態について詳細に説明する。
本発明の実施の形態では、入力セルに、それが即時性を要求するサービスのセルであるか否かを表示する情報（Ｓ−Ｉ  ビット）が付加される。そして、その情報に基づいて、即時性を要求しないバースト性の強いサービスの入力セルは大きな容量の第１のバッファ（Ｉ−ＢＵＦ  ）を介してスイッチ部に入力され、即時性を要求するサービスの入力セルは必要最小限の容量（数セル分程度）の第２のバッファ（Ｒ−ＢＵＦ  ）を介してスイッチ部に入力される。これによって、スイッチ部内のバッファ規模を増大させることなく、コンピュータ間の通信データのようなバースト性の強い情報を効率良く処理できると共に、電話音声等の即時性の要求の強い情報の遅延の増大を防止することができる。
【００３２】
また、本発明の実施の形態では、スイッチ部から各加入者端末に向かう各下り回線にセルを出力する分離部内のバッファにおいて輻輳の状態が監視される。そして、ここでバースト性の強い情報の入力による輻輳が検出されると、輻輳が検出された下り回線と対の上り回線（加入者端末からスイッチ部に向かう回線）にスイッチ部に向けて入力してくるセルに、輻輳の程度に応じた輻輳通知（ＥＦＣＩレベル表示）が設定される。この上り回線上のセルは、スイッチ部でスイッチングされた後、輻輳が検出された下り回線に向けてセルを送信している加入者端末に戻る下り回線に転送され、その下り回線を終端している終端装置（個別対応部）において検出される。個別対応部は、輻輳通知が設定されたセルを検出した場合と検出しない場合とで、所定のアルゴリズムに従って、上記下り回線と対の上り回線上に設けられている前記第１のバッファ（即時性を要求しないセル用のバッファ）において、そこからのセルの読出し帯域（速度）を制御する。この結果、輻輳が検出された下り回線に向かうセルの転送量が制御され、セルが最大限の効率で転送される。この場合に、輻輳が検出された下り回線に向けてセルを送信している加入者端末に接続する上り回線以外の上り回線上では、セルの転送量は規制されることはないという特徴を有する。また、即時性の要求の強い情報は、第２のバッファを介してスイッチ部に入力されるため、第１のバッファにおける規制の影響を受けないという特徴を有する。
【００３３】
図１は、上述の特徴的な機能を実現するための本発明の実施の形態のシステム構成図である。図１において、スイッチインタフェース部１０２は、図３の多重／分離部３０３に対応する。また、個別対応部１０１は、図３の回線対応部３０２と多重／分離部３０３のインタフェース部に、各回線対応部３０２毎（各回線３０１毎）に設けられる。また、図２は、本発明の実施の形態において、スイッチ部内を流れるセル（ＡＴＭ  セル）のデータ構成図である。
【００３４】
図１において、個別対応部１０１内のＩＶＣＣ１０３は、回線個別部から入力されるセルに対して、そのＡＴＭ  ヘッダ部に付加されているＶＰＩ  （仮想パス識別子）とＶＣＩ  （仮想チャネル識別子）（共に図２参照）に基づいて内部の特には図示しないテーブルを参照することによって、上記入力セルのＡＴＭ  ヘッダ内のＶＰＩ／ＶＣＩ  を出力方路に対応するＶＰＩ／ＶＣＩ  に付け替えると共に、上記入力セルの先頭に、その入力セルが即時性を要求するサービスのセルであるか否かを表示するＳ−Ｉ  ビット値と、上記入力セルがスイッチインタフェース部１０２の後段のスイッチ部内を自立的にスイッチングされるためのスイッチタグと、上記入力セルがスイッチ部から出力された後にスイッチインタフェース部１０２内のＤＭＵＸ（分離部）１１２で自立的に分離されるためのＤＭＵＸタグと、ＥＦＣＩレベル表示のためのフィールドを含む１オクテット分のフィールドのためのダミーデータとからなるスイッチングヘッダ（図２参照）を付加する。ＥＦＣＩレベル表示は、後述するＩＮＳ  １０８によって挿入される。
【００３５】
ここで、Ｓ−Ｉ  ビットは、本発明に特に関連する情報であり、その値は、それが付加されている入力セルが即時性を要求するサービスのセルであるならば“１”にセットされ、それ以外のサービスのセルであるならば“０”にセットされる。そして、振分部１０４は、入力セルのＳ−Ｉ  ビットの値を判別することによって、入力セルが即時性を要求しないサービスのセルであってＳ−Ｉ  ビットの値が“０”であるならば、入力セルを大きな容量の第１のバッファであるＩ−ＢＵＦ  １０５に書き込み、入力セルが即時性を要求するサービスのセルであってＳ−Ｉ  ビットの値が“１”であるならば、入力セルを大きな容量の第１のバッファであるＩ−ＢＵＦ  １０５に書き込み、必要最小限の容量（数セル分程度）の第２のバッファであるＲ−ＢＵＦ  １０６に書き込む。Ｉ−ＢＵＦ  １０５とＲ−ＢＵＦ  １０６の各出力は、ＭＵＸ  （多重部）１０７で多重された後に、ＩＮＳ  １０８（後述する）及びスイッチインタフェース部１０２内のＭＵＸ  １１１を介して、スイッチ部（図３のスイッチ部３０４に対応する）に入力される。
【００３６】
このようにして、即時性を要求しないバースト性の強い情報のみが大きな容量の第１のバッファであるＩ−ＢＵＦ  １０５を介してスイッチ部に入力され、即時性を要求するサービスの入力セルは必要最小限の容量の第２のバッファであるＲ−ＢＵＦ  １０６を介してスイッチ部に入力されるため、スイッチ部内のバッファ規模を増大させることなく、コンピュータ間の通信データのようなバースト性の強い情報を効率良く処理できると共に、電話音声等の即時性の要求の強い情報の遅延の増大を防止することができる。
【００３７】
次に、スイッチインタフェース部１０２内のＤＭＵＸ  ＣＴＬ（分離部制御部）１１３は、スイッチ部から各加入者端末に向かう各下り回線にセルを出力するＤＭＵＸ（分離部）１１２内の特には図示しないバッファにおける輻輳状態を監視している。より具体的には、ＤＭＵＸ  ＣＴＬ１１３は、各下り回線に対応する各バッファ内の滞留セル数を、複数の所定の閾値と比較している。そして、ＤＭＵＸ  ＣＴＬ１１３は、何れかのバッファにおいて輻輳を検出すると、輻輳を検出したバッファに対応する下り回線と対の上り回線（加入者端末からスイッチ部に向かう回線）上の個別対応部１０１内のＩＮＳ  （挿入部）１０８を制御することにより、ＭＵＸ  １０７からスイッチ部に向けて入力してくるセルのスイッチングヘッダに、輻輳の程度に応じた値を有する輻輳通知であるＥＦＣＩレベル表示（図２参照）を設定する。
【００３８】
ＩＮＳ  １０８から出力された上述の上り回線上のセルは、スイッチインタフェース部１０２内のＭＵＸ  １１１を介してスイッチ部に入力され、そこでスイッチングされた後に、輻輳が検出された下り回線に向けてセルを送信している加入者端末に戻る下り回線に転送される。
【００３９】
これに対して、上述の加入者端末に戻る下り回線を終端している個別対応部１０１内のＯ−ＣＥＬＬ  ＥＸＴ（出力セル検出部）１１０は、ＥＦＣＩレベル表示が設定されているセルを検出すると、そのＥＦＣＩレベル表示の値をＩ−ＢＵＦ  ＣＴＬ  （入力バッファ制御部）１０９に通知する。Ｉ−ＢＵＦ  ＣＴＬ  １０９は、Ｏ−ＣＥＬＬ  ＥＸＴ１１０からＥＦＣＩレベル表示の値を通知された場合と通知されない場合のそれぞれについて、所定のアルゴリズムに従って、それと対の上り回線上に設けられているＩ−ＢＵＦ  １０５におけるセルの読出し帯域（速度）を制御する。この結果、輻輳が検出された下り回線に向かうセルの転送量が制御され、セルが最大限の効率で転送される。
【００４０】
続いて、上述の輻輳制御の具体例について、以下に説明する。
まず、加入者は、通信を要求する際に、国際勧告に従って、サービス属性と使用帯域の情報を申告する。交換機システムの呼処理プロセッサは、申告されたサービス属性が即時性を要求するサービスの属性を示している場合は、申告された使用帯域をピーク帯域として、その加入者を交換機内のリソースに割り当てる。一方、申告されたサービス属性が即時性を要求しないサービスの属性を示している場合は、申告された使用帯域を平均帯域とし使用帯域がポアソン分布に従うと仮定して、その加入者を交換機内のリソースに割り当てる。
【００４１】
次に、スイッチインタフェース部１０２内のＤＭＵＸ  ＣＴＬ１１３は、各下り回線に対応する各バッファ内の滞留セル数を複数の所定の閾値と比較して、各バッファ内の滞留セル数の変化の度合いを検出することにより、輻輳状態を検出する。この輻輳状態は、例えば２つのレベルからなり、例えば、第１レベルは、１００セル入力する間のバッファ内の滞留セル数の増加が５０セル以下であり、第２レベルは、１００セル入力する間のバッファ内の滞留セル数の増加が５１セル以上である。ＤＭＵＸ  ＣＴＬ１１３は、第１レベル又は第２レベルの輻輳状態のそれぞれを検出した場合に、輻輳を検出したバッファに対応する下り回線と対の上り回線上の個別対応部１０１内のＩＮＳ  １０８を制御することによって、ＭＵＸ  １０７からスイッチ部に向けて入力してくるセルのスイッチングヘッダに、例えば値“１”又は“２”のＥＦＣＩレベル表示を設定する。
【００４２】
個別対応部１０１内のＩ−ＢＵＦ  ＣＴＬ  １０９は、交換機システム内の呼処理プロセッサが上記個別対応部１０１が終端する回線を使用する各パスに対して割り当てている使用帯域の平均値の総和に対応する読み出し帯域（速度）で、上記個別対応部１０１内のＩ−ＢＵＦ  １０５からのセルの読出しを開始する。そして、上記Ｉ−ＢＵＦ  ＣＴＬ  １０９は、その個別対応部１０１内のＯ−ＣＥＬＬ  ＥＸＴ１１０からＥＦＣＩレベル表示の値を通知されない場合は、所定の周期毎に、上記Ｉ−ＢＵＦ  １０５における読出し帯域（速度）を、２０％ずつ増加させる。
【００４３】
一方、Ｉ−ＢＵＦ  ＣＴＬ  １０９は、その個別対応部１０１内のＯ−ＣＥＬＬ  ＥＸＴ１１０から第１レベルの輻輳状態を示すＥＦＣＩレベル表示の値“１”を通知された場合には、上記Ｉ−ＢＵＦ  １０５における読出し帯域（速度）を、前述した平均値の総和に対応する値を最低値として、現在値の１／２に減少させる。
【００４４】
また、Ｉ−ＢＵＦ  ＣＴＬ  １０９は、その個別対応部１０１内のＯ−ＣＥＬＬ  ＥＸＴ１１０から第２レベルの輻輳状態を示すＥＦＣＩレベル表示の値“２”を通知された場合には、上記Ｉ−ＢＵＦ  １０５からのセルの読み出しを停止する。
【００４５】
以上のようにして、電話音声等の即時性の要求の強い情報の遅延の増大を防止しつつ、コンピュータ間の通信データのようなバースト性の強い情報を最大限の効率で転送することが可能となる。
【００４６】
また、上述した実施の形態において、図２に示されるように、ＥＦＣＩレベル表示は、交換機内部でのみ使用されるスイッチングヘッダ内に設定される。これにより、ＡＢＲ  サービスにおける加入者端末間の輻輳制御に用いられるＥＦＣＩ情報と区別することができ、両者を併用した輻輳制御が実施されることにより、加入者端末を含む網全体で、より精密な輻輳制御を実現することができる。
【００４７】
【発明の効果】
本発明の第１の態様によれば、スイッチ装置内のバッファ規模を増大させることなく、コンピュータ間の通信データのようなバースト性の強い情報を効率良く処理できると共に、電話音声等の即時性の要求の強い情報の遅延の増大を防止することが可能となる。
【００４８】
本発明の第２の態様とその変形によれば、コンピュータ間の通信データのようなバースト性の強い情報を最大限の効率で転送することが可能となる。
また、輻輳情報がセルに付加されるセル交換システム内でのみ使用されるヘッダ部に設定されることにより、本発明の第２の態様による輻輳制御を交換機外の他の輻輳制御と併用することが可能となり、より精密な輻輳制御を実現することができる。
【図面の簡単な説明】
【図１】本発明の実施の形態のシステム構成図である。
【図２】本発明の実施の形態におけるＡＴＭ  セルのデータ構成図である。
【図３】一般的なＡＴＭ  交換システムの構成図である。
【符号の説明】
１０１      個別対応部
１０２      スイッチインタフェース部
１０３      ＩＶＣＣ
１０４      振分部
１０５      Ｉ−ＢＵＦ
１０６      Ｒ−ＢＵＦ
１０７、１１１      ＭＵＸ
１０８      ＩＮＳ
１０９      Ｉ−ＢＵＦ  ＣＴＬ
１１０      Ｏ−ＣＥＬＬ  ＥＸＴ
１１２      ＤＭＵＸ
１１３      ＤＭＵＸ  ＣＴＬ
【図１】
0003634489.tif 000002
【図２】
0003634489.tif 000003
【図３】
0003634489.tif 000004